(57)【要約】【課題】後付けでも簡単に施工できる床下収納装置を提供する。【解決手段】本発明は、床下設置面１上に床支持脚２が立設された床下空間に、物品の収納保管用として設置される床下収納装置を対象とする。本装置は、床支持脚２を補強するための補強部材３０と、床支持脚２に軸受５０を介して回転自在に設けられ、その床支持脚２の外周から組み合わされる複数の回転板分割片４１をもって構成される回転板４０と、回転板４０の周囲に周方向に並んで配置された状態で回転板４０に固定され、回転板４０の回転を伴って、周方向に沿って回転走行する複数の台車１０と、を備える。【選択図】      図２
2006266065.tif 000002
【特許請求の範囲】
【請求項１】
床下設置面上に床支持脚が立設された床下空間に、物品の収納保管用として設置される床下収納装置であって、
前記床支持脚に軸受を介して回転自在に設けられ、その床支持脚の外周から組み合わされる複数の回転板分割片をもって構成される回転板と、
前記回転板の周囲に周方向に並んで配置された状態で前記回転板に接合され、前記回転板の回転を伴って、周方向に沿って回転走行する複数の台車と、を備える床下収納装置。
【請求項２】
前記床支持脚を補強するための補強部材を、さらに備える請求項１に記載の床下収納装置。
【請求項３】
前記台車は、隣り合う２つの回転板分割片間に跨って配置された状態でその２つの回転板分割片にそれぞれ固定される請求項２に記載の床下収納装置。
【請求項４】
前記回転板は、その中心を通る２等分線に沿って分割された２つの回転板分割片をもって構成される請求項１〜３のいずれか１項に記載の床下収納装置。
【請求項５】
前記台車の外側縁に沿って囲い板が立設される請求項１〜４のいずれか１項に記載の床下収納装置。
【請求項６】
前記囲い板は、前記台車を走行操作するための操作ハンドルを兼用している請求項５に記載の床下収納装置。
【請求項７】
前記回転板は、正方形の平面形状を有し、
前記台車は、前記回転板の周囲４辺に沿って４台配置され、
前記台車は、内側辺と、前側辺と、後側辺と、内側辺および前側辺間に設けられた前斜辺と、内側辺および後側辺間に設けられた後斜辺とを有し、内側辺が前記回転板の外側辺に接合配置され、前斜辺が先行の台車の後斜辺に接合配置されるとともに、後側辺が後続の台車の前斜辺に接合配置される請求項１〜６のいずれか１項に記載の床下収納装置。
【請求項８】
隣り合う２台の台車間に隙間が形成され、その隙間を閉塞する態様に物品こぼれ落ち防止部材が設けられる請求項１〜７のいずれか１項に記載の床下収納装置。
【請求項９】
前記物品こぼれ落ち防止手段は、物品を収納可能なポケット部材をもって構成される請求項８に記載の床下収納装置。
【請求項１０】
前記床支持脚によって支持される床壁に、前記台車に対し収納物を出し入れするための開口部が設けられ、
前記開口部の内周縁部に、緩衝部材が設けられる請求項１〜９のいずれか１項に記載の床下収納装置。
【請求項１１】
前記開口部の内周縁部における内周側面と、内周下面との間に跨る態様に、前記緩衝部材が設けられる請求項１０に記載の床下収納装置。
【請求項１２】
前記緩衝部材は、柔軟性ないし弾力性を有する板状部材により構成され、その緩衝部材の上端部が前記開口部の内周側面に固定されるとともに、下端部が前記開口部の内周下面に固定され、前記緩衝部材が前記開口部の内周側面から内周下面にかけて湾曲した状態に配置される請求項１１に記載の床下収納装置。
【請求項１３】
前記緩衝部材は、合成樹脂ないし合成ゴムの発泡成形体により構成される請求項１０または１１に記載の床下収納装置。
【請求項１４】
前記囲い板の少なくとも一部が、取外可能に構成される請求項５に記載の床下収納装置。
【請求項１５】
前記囲い板は、複数枚の仕切ネットにより構成され、前記複数枚の仕切ネットのうち少なくとも１枚の仕切ネットが取外可能に構成される請求項５に記載の床下収納装置。
【発明の詳細な説明】
【技術分野】
【０００１】
この発明は、床下空間内に物品を収納保管するための床下収納装置に関する。
【背景技術】
【０００２】
戸建て住宅などにおいて、床下空間を物品収納スペースとして利用した床下収納装置が周知である。中でも、収納容量を十分に確保できる床下収納装置として、下記特許文献１〜３に示すような収納部循環式のものが提案されている。
【０００３】
特許文献１の床下収納装置は、床下空間内に環状にレールが敷設されるとともに、そのレール上に複数の台車が走行自在に設置されている。さらに床面にはレールの一部分に対応して物品出し入れ口が形成されている。そして各台車をレールに沿って走行させて、所望の台車を物品出し入れ口に位置させて、その台車に対し物品を出し入れするものである。
【０００４】
また特許文献２の床下収納装置は、床を支持する１本の束の外周に、円形にレールが敷設されるとともに、そのレール上に複数の台車が隣り合う台車同士を連結固定した状態で旋回走行自在に設置されている。そして複数の台車を一体に回転させることにより、所望の台車を物品出し入れ口に位置させてその台車に対し物品を出し入れするようにしている。
【０００５】
さらに特許文献３の床下収納装置は、上記特許文献２における床下収納装置のレールに代えて、束の外周面にガイド壁を設けることにより、その外壁の壁面に沿って複数の台車を旋回させるようにしたものである。
【特許文献１】実開昭５５−１１６１４４号公報（第１図）
【特許文献２】特開２０００−１７９１４２号公報（図１−４）
【特許文献３】特開２０００−１７９１４４号公報（図１−３）
【発明の開示】
【発明が解決しようとする課題】
【０００６】
上記特許文献１に示す循環式の床下収納装置は、レール設置作業などの面倒な作業が必要であるため、施工作業が面倒であるという問題があった。さらにリフォームなどにより後付けで床下収納装置を施工しようとしても、床下の狭い空間内で、レールを設置するには無理があり、場合によっては床板を取り外すなどの大規模な作業も伴って、リフォームなどの後付けで施工することが困難であるという問題もあった。
【０００７】
また特許文献２に示す床下収納装置は、上記と同様、面倒なレール敷設作業を必要とするものであるため、施工が面倒である上、リフォームなどの後付けで施工することも困難であった。
【０００８】
特許文献３に示す床下収納装置は、束の外周面にガイド壁を設けるなどの面倒な作業が必要であるため、施工作業が困難になるという問題があった。
【０００９】
この発明は、上記従来技術の問題を解消し、簡単に組み付けることができ、後付けでも確実に施工することができる床下収納装置を提供することを目的とする。
【課題を解決するための手段】
【００１０】
上記目的を達成するため、本発明は、以下の構成を要旨としている。
【００１１】
［１］  床下設置面上に床支持脚が立設された床下空間に、物品の収納保管用として設置される床下収納装置であって、
前記床支持脚に軸受を介して回転自在に設けられ、その床支持脚の外周から組み合わされる複数の回転板分割片をもって構成される回転板と、
前記回転板の周囲に周方向に並んで配置された状態で前記回転板に接合され、前記回転板の回転を伴って、周方向に沿って回転走行する複数の台車と、を備える床下収納装置。
【００１２】
［１ａ］  前記軸受は、前記床支持脚の外周から組付可能に構成される前項１に記載の床下収納装置。
【００１３】
［１ｂ］  前記軸受は、前記床支持脚の外周から組み合わせられた複数の軸受分割片をもって構成される前項１ａに記載の床下収納装置。
【００１４】
［１ｃ］  前記軸受は、中心を通る線分に沿って２分割された２つの軸受分割片をもって構成される前項１ｂに記載の床下収納装置。
【００１５】
［１ｄ］  前記軸受は、隣り合う回転板分割片間を跨る態様に固定される前項１に記載の床下収納装置。
【００１６】
［１ｅ］  前記台車は、前記回転板にねじなどの固着具によって固定される前項１に記載の床下収納装置。
【００１７】
［２］  前記床支持脚を補強するための補強部材を、さらに備える前項１に記載の床下収納装置。
【００１８】
［２ａ］  前記補強部材は、前記床支持脚の外周に外嵌状態に取り付けられる外筒体を有し、その外筒体部分に、前記軸受を介して前記回転板が設けられる前項２に記載の床下収納装置。
【００１９】
［２ｂ］  前記外筒体は、前記床支持脚の外周から組み合わせられる２つの半筒体をもって構成される前項２ａに記載の床下収納装置。
【００２０】
［２ｃ］  前記補強部材は、前記床支持脚を床下設置面に固定するための補助脚を有する前項２に記載の床下収納装置。
【００２１】
［３］  前記台車は、隣り合う２つの回転板分割片間に跨って配置された状態でその２つの回転板分割片にそれぞれ固定される前項１または２に記載の床下収納装置。
【００２２】
［４］  前記回転板は、その中心を通る２等分線に沿って分割された２つの回転板分割片をもって構成される前項１〜３のいずれか１項に記載の床下収納装置。
【００２３】
［４ａ］  前記回転板は平面視正方形に形成される前項１〜３のいずれか１項に記載の床下収納装置。
【００２４】
［４ｂ］  前記回転板分割片は、長方形に形成される前項４ａに記載の床下収納装置。
【００２５】
［５］  前記台車の外側縁に沿って囲い板が立設される前項１〜４のいずれか１項に記載の床下収納装置。
【００２６】
［５ａ］  前記囲い板は、仕切ネットをもって構成される前項５に記載の床下収納装置。
【００２７】
［５ｂ］  前記仕切ネットは、前記台車にねじ止め固定される前項５ａに記載の床下収納装置。
【００２８】
［５ｃ］  前記仕切ネットの少なくとも片面側に、ネットの網目部から物品がこぼれ落ちるのを防止するためのシート状ないし板状の目隠し部材が設けられる前項５ｂに記載の床下収納装置。
【００２９】
［６］  前記囲い板は、前記台車を走行操作するための操作ハンドルを兼用している前項５に記載の床下収納装置。
【００３０】
［７］  前記回転板は、正方形の平面形状を有し、
前記台車は、前記回転板の周囲４辺に沿って４台配置され、
前記台車は、内側辺と、前側辺と、後側辺と、内側辺および前側辺間に設けられた前斜辺と、内側辺および後側辺間に設けられた後斜辺とを有し、内側辺が前記回転板の外側辺に接合配置され、前斜辺が先行の台車の後斜辺に接合配置されるとともに、後側辺が後続の台車の前斜辺に接合配置される前項１〜６のいずれか１項に記載の床下収納装置。
【００３１】
［８］  隣り合う２台の台車間に隙間が形成され、その隙間を閉塞する態様に物品こぼれ落ち防止部材が設けられる前項１〜７のいずれか１項に記載の床下収納装置。
【００３２】
［８ａ］  前記台車は、前記回転板の周囲に４台配置され、
隣り合う台車間における外側に隙間が形成される前項８に記載の床下収納装置。
【００３３】
［８ｂ］  前記隙間は、平面視略三角形状に形成される前項８ａに記載の床下収納装置。
【００３４】
［９］  前記物品こぼれ落ち防止手段は、物品を収納可能なポケット部材をもって構成される前項８に記載の床下収納装置。
【００３５】
［１０］  前記床支持脚によって支持される床壁に、前記台車に対し収納物を出し入れするための開口部が設けられ、
前記開口部の内周縁部に、緩衝部材が設けられる前項１〜９のいずれか１項に記載の床下収納装置。
【００３６】
なお本発明において、「開口部の内周縁部」という場合、「開口部の内周縁部における内周側面および内周下面の少なくともいずれか一方」という意味で用いられる。
【００３７】
［１０ａ］  前記緩衝部材は、前記開口部の周方向における少なくとも一部に設けられる前項１０に記載の床下収納装置。
【００３８】
［１０ｂ］  前記開口部は矩形状の形状を有し、前記緩衝部材は、前記開口部の周囲四辺のうち少なくとも一辺に設けられる前項１０に記載の床下収納装置。
【００３９】
［１１］  前記開口部の内周縁部における内周側面と、内周下面との間に跨る態様に、前記緩衝部材が設けられる前項１０に記載の床下収納装置。
【００４０】
［１１ａ］  前記開口部の内周側面には、アングル部材などの補強部材が設けられる前項１１に記載の床下収納装置。
【００４１】
［１１ｂ］  前記開口部の内周下面には、補強桟が設けられる前項１１に記載の床下収納装置。
【００４２】
［１１ｃ］  前記開口部の内周側面には、アングル部材などの補強部材が設けられるとともに、前記開口部の内周下面には、補強桟が設けられ、
前記アングル部材および前記補強桟を跨る態様に、前記緩衝部材が設けられる前項１１に記載の床下収納装置。
【００４３】
［１１ｄ］  前記開口部は矩形状の形状を有し、前記開口部の周囲四辺のうち、前記台車の回転方向に対し交差する方向の辺部に前記緩衝部材が設けられる前項１０または１１に記載の床下収納装置。
【００４４】
［１２］  前記緩衝部材は、柔軟性ないし弾力性を有する板状部材により構成され、その緩衝部材の上端部が前記開口部の内周側面に固定されるとともに、下端部が前記開口部の内周下面に固定され、前記緩衝部材が前記開口部の内周側面から内周下面にかけて湾曲した状態に配置される前項１１に記載の床下収納装置。
【００４５】
［１２ａ］  前記緩衝部材は、その上端部に屈曲形成された上側取付片が設けられるとともに、下端部に屈曲形成された下側取付片が設けられる前項１２に記載の床下収納装置。
【００４６】
［１３］  前記緩衝部材は、合成樹脂ないし合成ゴムの発泡成形体により構成される前項１０または１１に記載の床下収納装置。
【００４７】
［１３ａ］  前記緩衝部材は、両面テープにより前記開口部の内周縁部に取り付けられる前項１３に記載の床下収納装置。
【００４８】
［１３ｂ］  前記緩衝部材は、帯板状の形状を有している請求項１３に記載の床下収納装置。
【００４９】
［１４］  前記囲い板の少なくとも一部が、取外可能に構成される前項５に記載の床下収納装置。
【００５０】
［１５］  前記囲い板は、複数枚の仕切ネットにより構成され、前記複数枚の仕切ネットのうち少なくとも１枚の仕切ネットが取外可能に構成される前項５に記載の床下収納装置。
【００５１】
［１５ａ］  隣合う仕切ネットが連結部材により着脱自在に連結される前項１５に記載の床下収納装置。
【００５２】
［１５ｂ］  前記仕切ネットが嵌着部材により前記台車に着脱自在に取り付けられる前項１５に記載の床下収納装置。
【００５３】
なお本発明においては、以下の構成を採用することもできる。
【００５４】
［２１］  建築物の床壁に、床下空間に通じる開口部が設けられ、その開口部の内周縁部に緩衝部材が設けられることを特徴とする建築物の開口部構造。
【００５５】
［２２］  前記開口部は、床下点検時の侵入口として利用される前項２１に記載の建築物の開口部構造。
【００５６】
［２３］  建築物の天井壁に、天井裏空間に通じる開口部が設けられ、その開口部の内周縁部に緩衝部材が設けられることを特徴とする建築物の開口部構造。
【００５７】
［２４］  前記開口部は、天井裏点検時の侵入口として利用される前項２３に記載の建築物の開口部構造。
【００５８】
［２５］  前記開口部の内周縁部における内周側面と、内周下面と間に跨る態様に、前記緩衝部材が設けられる前項２１〜２４のいずれか１項に記載の建築物の開口部構造。
【００５９】
［２６］  前記緩衝部材は、柔軟性ないし弾力性を有する板状部材により構成され、その緩衝部材の上端部が前記開口部の内周側面に固定されるとともに、下端部が前記開口部の内周下面に固定され、前記緩衝部材が前記開口部の内周側面から内周下面にかけて湾曲した状態に配置される前項２１〜２５のいずれか１項に記載の建築物の開口部構造。
【００６０】
［２７］  前記緩衝部材は、合成樹脂ないし合成ゴムの発泡成形体により構成される前項２１〜２５のいずれか１項に建築物の開口部構造。
【００６１】
［３１］  床下空間に、物品の収納保管用に走行自在な台車が設置される床下収納装置であって、
前記台車の外側縁に沿って囲い板が立設されとともに、前記囲い板の一部が、取外可能に構成されたことを特徴とする床下収納装置。
【００６２】
［３２］  前記囲い板は、複数枚の仕切ネットにより構成され、前記複数枚の仕切ネットのうち少なくとも１枚の仕切ネットが取外可能に構成される前項３１に記載の床下収納装置。
【発明の効果】
【００６３】
発明［１］の床下収納装置によれば、床支持脚を回転軸として、台車をスムーズに回転走行させることができる。このため従来例のように台車を安定走行させるためのガイドレールやガイド壁を組み付けるなどの面倒な施工作業を行う必要がなく、簡単に施工することができる。
【００６４】
さらに軸受を介して、回転板を床支持脚に組み付けるものであるため、回転板をよりスムーズに回転させることができ、台車をより一層安定させた状態で走行させることができる。
【００６５】
また本発明は、複数の回転板分割片を、床支持脚の外周から組み合わせて回転板を形成するものであるため、床支持脚を設置したままの状態で確実に施工することができる。従って床仕上げ用パネル、床下地パネルおよび床支持脚を取り外すなどの大規模な作業を行う必要なく、後付けで確実に施工することができる。
【００６６】
発明［２］の床下収納装置によれば、床支持脚を補強部材によって補強するものであるため、台車走行時に床支持脚が揺動するなどの軸ぶれを有効に防止でき、より安定した状態で台車を走行させることができる。
【００６７】
発明［３］の床下収納装置によれば、台車によって、複数の回転板分割片を連結することができる。このように台車を分割片の連結手段としても利用することにより、部品点数の削減および構造の簡素化を図りつつ、分割片同士を強固に連結することができる。
【００６８】
発明［４］の床下収納装置によれば、回転板としての２つの分割片を互いに同一の構成とすることができ、部品の共通化により、組付作業性の向上やコストの削減などを図ることができる。
【００６９】
発明［５］の床下収納装置によれば、囲い板によって、台車上の収納物品が外側に脱落するの防止することができ、良好な使い勝手を得ることができる。
【００７０】
発明［６］の床下収納装置によれば、囲い板を、台車走行用の操作ハンドルとして利用するものでるため、別途、操作ハンドルを組み付ける必要はなく、部品点数の削減、構造の簡素化およびコストの削減を図ることができる。
【００７１】
発明［７］の床下収納装置によれば、特有形状の４台の台車を所定配置に設置するものであるため、台車をスペース的に効率良く配置することができ、床下スペースを有効に利用しつつ、収納効率を向上させることができる。
【００７２】
発明［８］の床下収納装置によれば、台車に対し出し入れしようとする物品が、台車間の隙間からこぼれ落ちるのを防止することができ、物品の出し入れ作業を気遣いなく簡単に行うことができる。
【００７３】
発明［９］の床下収納装置によれば、台車間の隙間にも物品を収納することができ、物品の収納効率を向上させることができる。
【００７４】
発明［１０］の床下収納装置によれば、床壁の開口部内周縁部に緩衝部材を取り付けているため、開口部を介して収納物を出し入れしたりする際や、床下点検時に作業者が開口部をくぐり抜ける際などに、腕や手などの身体の一部が緩衝部材に接触することにより、腕などが床構成材に直接接触するような不具合を防止でき、収納物の出し入れ作業や、床下点検作業を支障なくスムーズに行うことができる。
【００７５】
発明［１１］の床下収納装置によれば、床壁の開口部周縁部のうち内周側面から内周下面にかけて跨るように緩衝部材が設けられるため、上記の効果を確実に得ることができる。
【００７６】
発明［１２］［１３］の床下収納装置によれば、上記の効果をより確実に得ることができる。
【００７７】
発明［１４］［１５］の床下収納装置によれば、仕切ネットなどの囲み板の一部を取り外すことにより、開口部から床下空間への侵入経路を確保することができ、開口部を床下保守点検時などの点検口として、確実に利用することができる。
【発明を実施するための最良の形態】
【００７８】
＜第１実施形態＞
図１〜４はこの発明の実施形態である床下収納装置を示す図である。これらの図に示すように、この床下収納装置が適用される床構造は、基準面としての床下設置面（１）上に多数の床支持脚（２）が縦横に等間隔おきに立設状態に固定されるとともに、各床支持脚（２）によって複数の床下地パネル（３）が水平面内において面状配置に支持されている。さらに床下地パネル（３）上に床パネル（４）が敷設されて、仕上げ床（５）が形成されている。また、仕上げ床（５）の所定位置には、物品出し入れ用の開口部（５ａ）が形成されている。なお言うまでもなくこの開口部（５ａ）には、開閉自在な蓋板（図示省略）が設けられている。
【００７９】
本実施形態の床下収納装置は、施工基準となる所定の床支持脚（２）を補強するための補強部材（３０）と、上記所定の床支持脚（２）に取り付けられる回転板（４０）と、回転板（４０）を床支持脚（２）に回転自在に支持するための軸受（５０）と、回転板（４０）の周囲４箇所に配置される台車（１０）とを基本的な構成要素として備えている。そして床支持脚（２）の軸心を支点として、各台車（１０）が周方向に沿って旋回走行されるとともに、その走行に伴って回転板（４０）が回転するよう構成されている。
【００８０】
なお、本実施形態において、台車（１０）は、時計回りおよび反時計回りの双方向に循環させることができるが、以下の説明では、発明の理解を容易にするため、時計回りおよび反時計回りのいずれか一方向を進行方向とし、その進行方向を基準に、前方や後方などの方向を特定するものとする。
【００８１】
台車（１０）は、台板（２０）と、台板（２０）の裏面側に設けられ、かつ台板（２０）を床下設置面（１）上に沿って二次元方向に走行自在に支持する複数のキャスター（１９）とを有している。
【００８２】
図５に示すように台板（２０）は、平面視において本実施形態特有の変形六角形状に形成されており、内側辺（２１）、外側辺（２２）、前後両側辺（２３）（２３）、前後両斜辺（２５）（２５）とを有している。内外両側辺（２１）（２２）は互いに平行に配置されるとともに、前後両側片（２３）（２３）は互いに平行に配置され、さらに前後両斜辺（２５）（２５）は、内外両側辺（２１）（２２）および前後両側辺（２３）（２３）に対しそれぞれ４５°の傾斜角度に設定されている。換言すれば、内側辺（２１）および前後両斜辺（２５）（２５）の内角と、前後両斜辺（２５）（２５）および前後両側辺（２３）（２３）間の内角とは、共に１３５°に設定されるとともに、外側辺（２２）および前後両側辺（２３）（２３）間の内角は９０°に設定されている。
【００８３】
さらに台板（２０）における前後両側辺（２３）（２３）と前後両斜辺（２５）（２５）との間には、その間を滑らかに接続する円弧状の曲成部（２７）（２７）が設けられている。
【００８４】
台板（２０）は、例えばパーティクルボード製の基板からなり、その上面に化粧紙が貼り付けられるとともに、木口に樹脂テープが貼り付けられて構成されている。
【００８５】
図１〜５に示すように台車（１０）のキャスター（１９）としては、ボールベアリング入りウレタン製の車輪を備え、車輪径５０ｍｍ、取付高さ６５ｍｍのものが用いられている。このキャスター（１９）は、台板裏面における前後左右の４箇所に取り付けられている。
【００８６】
図６および図７に示すように補強部材（３０）は、互いに同じ構成の一対の補強金具（３１）（３１）によって構成されている。補強金具（３１）は、連結片（３２）と、半筒体（３３）と、補助脚（３５）とを有している。連結片（３２）は、その中間部がＬ字形に屈曲形成されて、その屈曲凹部内に床支持脚（２）の片側半周を包囲する半筒体（３３）が取り付けられている。さらに連結片（３２）の一端部には上記補助脚（３５）の上端部が固定されている。
【００８７】
この補強部材（３０）は、複数の床支持脚（２）のうち、本実施形態の床下収納装置の回転軸部として利用される所定の床支持脚（２）を補強するために用いられる。すなわち一対の補強金具（３１）（３１）における両半筒体（３３）（３３）によって所定の床支持脚（２）を両側から包囲するように、両連結片（３２）（３２）を床支持脚（２）の両側に配置する。そして両連結片（３２）（３２）の両端部を互いに接合した状態で、その接合端部同士をボルト（３６）（３６）によって固定し、これにより両連結片（３２）（３２）を床支持脚（２）に挟持させる。さらに両補助脚（３５）（３５）の下端部を床下設置面（１）上に配置し、両補助脚（３５）（３５）の下端部にアンカーボルト（３７）（３７）を貫通させて床下の土台（１ａ）に固定する。こうして一対の補強金具（３１）（３１）によって所定の床支持脚（２）が土台（１ａ）に強固に固定されるとともに、補強部材（３０）の両半筒体（３３）（３３）が、床支持脚（２）の軸部の外周に外嵌状態に配置されて、床支持脚（２）の軸部の剛性が向上するよう構成されている。ここで本実施形態においては、両半筒体（３３）（３３）によって、補強用外筒体が構成されている。
【００８８】
図１〜７に示すように回転板（４０）は、平面視正方形の形状を有しており、中心を通る２等分線に沿って２分割される２つの回転板分割片（４１）（４１）をもって構成されている。
【００８９】
両回転板分割片（４１）（４１）の対向辺部における中間位置には、それぞれ半円弧状の切欠部（４５）（４５）が設けられるとともに、両切欠部（４５）（４５）の近傍には、各２つずつボルト挿通孔（４６）（４６）が設けられる。更に各回転板分割片（４１）（４１）におけるボルト挿通孔（４６）（４６）の裏面側にはナット（４７）（４７）が固定されている。そしてこの回転板分割片（４１）（４１）を組み合わせて回転板（４０）を形成した際に、両切欠部（４５）（４５）によって回転板中心位置に円形の中央孔が形成されるとともに、その中央孔（４５）の周囲４箇所に周方向に等間隔おきにボルト挿通孔（４６）が配置されるよう構成されている。
【００９０】
なお回転板（４０）を構成する分割片（４１）は、鋼板（４１ａ）の下面側に木質板（４１ｂ）が積層された積層板をもって構成されている。この回転板（４０）においては、鋼板（４１ａ）に対し、木質板（４１ｂ）のサイズが小さく設定されており、鋼板（４１ａ）の周囲４辺が木質板（４１ｂ）よりも外方に突出されて、その外方突出部が台車（１０）を固定するためのフランジ部として構成されている。
【００９１】
軸受（５０）は、円環状のプラスチック成形品をもって構成されており、中心を通る２等分線によって２分割される２つの軸受分割片（５１）（５１）をもって構成されている。各軸受分割片（５１）（５１）には、それぞれ２つずつボルト挿通孔（５６）（５６）が形成されている。
【００９２】
本実施形態においては、２つの回転板分割片（４１）（４１）を所定の床支持脚（２）における上記補強部材（３０）の両半筒体（３３）（３３）による補強部分（以下単に「床支持脚（２）の補強部分」と称する）の両側から組み合わせることにより、仮組状態の回転板（４０）を形成し、その回転板（４０）の中央孔（４５）内に床支持脚（２）の補強部分を配置させる。さらに回転板（４０）上において、２つの軸受分割片（５１）（５１）を床支持脚（２）の補強部分の両側から組み合わせることにより、仮組状態の軸受（５０）を形成し、その軸受（５０）の中央孔内に床支持脚（２）の補強部分を配置される。このとき回転板分割片（４１）（４１）を床支持脚（２）の補強部分の前後両側から配置するとともに、軸受分割片（５１）（５１）を左右両側から配置することにより、２つの回転板分割片（４１）（４１）をそれぞれ跨る態様に２つの軸受分割片（５７）（５７）をそれぞれ配置する。そしてその状態で各ボルト挿通孔（４６）（５６）にボルト（５７）をそれぞれ挿通して、上記ナット（４７）にそれぞれ締結する。これにより、回転板分割片（４１）（４１）および軸受分割片（５１）（５１）がそれぞれ連結されると同時に、回転板（４０）が軸受（５０）を介して所定の床支持脚（２）に回転自在に取り付けられる。
【００９３】
なお本実施形態においては、軸受（５０）に下向きの荷重が加わることはなく、軸受（５０）、回転板（４０）、および台車（１０）などの下向きの荷重は、台車（１０）のキャスター（１９）によって、床下設置面（１）によって受け止められる。
【００９４】
図１〜４に示すように回転板（４０）の周囲には、４台の台車（１０）が取り付けられる。すなわち回転板（４０）の各辺部における鋼板（４１ａ）の外周縁部（フランジ部）下側に、各台車（１０）の内側辺（２１）が重ね合わされて、回転板（４０）の各辺部に上方からねじ（４８）が貫通されて各台車（１０）の内側辺（２１）にそれぞれ締め付け固定される。これにより４台の台車（１０）が回転板（４０）の周囲に並んで配置された状態に固定される。このとき隣り合う台車（１０）間は固定されておらず、隣り合う台車（１０）における前後の斜辺（２５）（２５）同士が互いに接合された状態に配置されている。
【００９５】
また４台の台車（１０）のうち、対向する２台の台車（１０）は、回転板（４０）を構成する２つの分割片（４１）（４１）間を跨るように取り付けられて、この２台の台車（１０）によっても、２つの分割片（４１）（４１）を連結させるようにしている。
【００９６】
この構成においては、所定の床支持脚（２）を支点にして回転板（４０）および４台の台車（１０）が一体となって回転するよう構成されている。そしてこの回転によって台車（１０）を循環走行（旋回走行）させて、所望の台車（１０）を仕上げ床（５）の開口部（５ａ）に対応する位置に配置することができる。従って、開口部（５ａ）を介して、所望の台車（１０）に対し物品を出し入れすることができる。
【００９７】
本実施形態においては、組み付けられた４台の台車（１０）によって構成される台車連結体の外周縁部に沿って囲い板としての仕切ネット（１５ａ）（１５ｂ）が立設されている。すなわち各台車（１０）の外側辺（２２）に沿って外側仕切ネット（１５ａ）が配置されるとともに、各台車（１０）の前後両側辺（２３）（２３）に沿って前後仕切ネット（１５ｂ）が配置されている。各ネット（１５ａ）（１５ｂ）は台車（１０）にねじ止め固定されるとともに、隣り合うネット（１５ａ）（１５ｂ）が連結部材（１５ｃ）によって着脱自在に連結される。
【００９８】
図８〜１０に示すように、隣り合う台車間の外側には隙間（Ｓ）が形成される。具体的には、先行の台車（１０）の後側仕切ネット（１５ｂ）と、後続の台車（１０）の前側仕切ネット（１５ｂ）との間には、平面視三角形状の隙間（Ｓ）が形成されている。本実施形態では、この隙間（Ｓ）を閉塞するように、物品こぼれ落ち防止部材としてのポケット部材（６０）が取り付けられている。
【００９９】
このポケット部材（６０）は、図１０に示すように合成樹脂製のシート部材をもって構成されている。このポケット部材（６０）は、背面カバー（６１）と、背面カバー（６１）の両側に設けられた側面カバー（６２）（６２）と、背面カバー（６１）の下端に設けられた略三角形状の底面カバー（６３）とを備えている。また背面カバー（６１）の上端には背面上部取付代（６１ａ）が設けられ、側面カバー（６２）（６２）の下端には側面下部取付代（６２ａ）（６２ａ）が設けられている。さらに底面カバー（６３）の先端両側には、底面先端取付代（６３ａ）（６３ａ）が設けられている。
【０１００】
この構成のポケット部材（６０）は、両側面カバー（６２）（６２）および底面カバー（６３）を前方に折り曲げた状態で、側面下部取付代（６２ａ）（６２ａ）を折り曲げて底面カバー（６３）の両側端部に連結具（６２ｂ）によって固定することにより、図９に示すように所定の三次元形状に保持される。そしてこの形状に保持されたポケット部材（６０）が補強枠（６５）を介して仕切ネット（１５ａ）（１５ｂ）に取り付けられる。すなわち図８および図９に示すように補強枠（６５）が、隣り合う台車（１０）（１０）における先行の台車（１０）の後側仕切ネット（１５ｂ）の外端と、後続の台車（１０）の前側仕切ネット（１５ｂ）の外端との間に連結部材（６６）を介して架橋状に取り付けられる。さらにこの補強枠（６５）の内側に、ポケット部材（６０）が配置された状態で、背面上部取付代（６１ａ）が補強枠（６５）の上方から外側に折り返されて、背面カバー（６１）の上端部に連結具（６１ｂ）を介して取り付けられる。さらに底面カバー（６３）の底面先端取付代（６３ａ）（６３ａ）が、仕切ネット（１５ｂ）（１５ｂ）を構成する所定のワイヤーを抱え込むように折り返されて、その底面先端取付代（６３ａ）（６３ａ）が底面カバー（６３）の先端部に連結具（６３ｂ）を介して取り付けられる。これにより背面カバー（６１）および底面カバー（６３）が仕切ネット（１５ｂ）（１５ｂ）に固定される。こうして隣り合う台車間の隙間（Ｓ）を閉塞するように、ポケット部材（１６）が取り付けられて、このポケット部材（１６）と前後の仕切ネット（１５ｂ）（１５ｂ）とにより、上方のみが開放された物品収納部（物品収納ポケット）が形成される。
【０１０１】
なお図１おいては、４台の台車（１０）の各間に設けられる４つの隙間（Ｓ）うち、１つの隙間（Ｓ）にのみポケット部材（６０）を設けるように示しているが、実際には４つの隙間（Ｓ）の全てにポケット部材（６０）が設けられるものである。もっとも本発明においては、全ての隙間（Ｓ）にポケット部材（６０）を設ける必要はなく、所望の隙間（Ｓ）だけにポケット部材（６０）を設けるようにしても良い。
【０１０２】
以上のように構成された本実施形態の床下収納装置は、以下のように、後付けで床下空間に組付施工することができる。
【０１０３】
まず施工基準（回転中心）とする所定の床支持脚（２）に、上記したように補強部材（３０）を取り付けて、床支持脚（２）の土台（１ａ）への取付強度を十分に確保するとともに、床支持脚（２）の軸部を補強する。
【０１０４】
続いて回転板分割片（４１）（４１）および軸受分割片（５１）（５１）を上記したように床支持脚（２）に挟む込むようにして取り付けて、回転板（４０）および軸受（５０）を組み付ける。
【０１０５】
次に台板（２０）にキャスター（１９）などを取り付けて台車（１０）を組み立てるとともに、台板（２０）上に仕切ネット（１５ａ）（１５ｂ）を取り付ける。
【０１０６】
なお、台車（１０）の組立や仕切ネット（１５ａ）（１５ｂ）の取付は、回転板（４０）および軸受（５０）の組付前に、あらかじめ行っておいても良い。更に仕切ネット（１５ａ）（１５ｂ）の取付は、台車（１０）の組付施工後に行うようにしても良い。
【０１０７】
続いて台車（１０）を回転板（４０）の四辺にそれぞれねじ止め固定した後、上記のポケット部材（６０）を取り付ける。
【０１０８】
こうして施工された床下収納装置においては、所定の床支持脚（２）を支点として、手動操作によって台車（１０）を回転板（４０）とともに旋回走行させて、所望の台車（１０）を仕上げ床（５）の開口部（５ａ）に対応する位置に配置し、開口部（５ａ）を介して、所望の台車（１０）に対し物品を出し入れするものである。
【０１０９】
以上のように構成された本実施形態の床下収納装置によれば、所定の床支持脚（２）を回転軸として利用するものであるため、その支持脚（２）を支点として台車（１０）をスムーズに走行させることができる。このため従来例のように台車を安定走行させるためのガイドレールやガイド壁を組み付けるなどの大がかりな施工作業を行う必要がなく、リフォーム時などに後付けで簡単に施工することができる。
【０１１０】
しかも本実施形態においては、床支持脚（２）を補強部材（３０）によって補強するものであるため、台車走行時に床支持脚（２）が揺動するなどの軸ぶれを確実に防止でき、より安定した状態で台車（１０）を走行させることができ、良好な操作性を得ることができる。
【０１１１】
さらに本実施形態においては、軸受（５０）を介して、回転板（４０）を床支持脚（２）に組み付けるものであるため、回転板（４０）をスムーズに回転させることができ、台車（１０）をより一層安定した状態でスムーズに走行させることができる。
【０１１２】
また本実施形態においては、床支持脚（２）に回転自在に取り付ける回転板（４０）および軸受（５０）を、複数の分割片（４１）（５１）によって構成し、床支持脚（２）の両側（外周）から挟み込んで取り付けるように構成しているため、床支持脚（２）を設置したままの状態で確実に施工することができる。このため仕上げ用パネル（４）、床下地パネル（３）および床支持脚（２）を取り外したりすることなく、確実に後付けで施工することができる。
【０１１３】
また本実施形態においては、回転板（４０）を構成する２つの分割片（４１）（４１）に対し、軸受（５０）を構成する２つの分割片（５１）（５１）を跨るように取り付けるものであるため、軸受（５０）を回転板分割片（４１）（４１）の連結部材として兼用させることができるとともに、逆に回転板（４０）を軸受分割片（５１）（５１）の連結部材として兼用させることができる。従って、部品点数の削減を図りつつ、回転板（４０）および軸受（５０）を強固に組み付けることができる。
【０１１４】
さらに本実施形態においては、台車（１０）を、回転板（４０）を構成する２つの分割片（４１）（４１）間に跨るように取り付けるものであるため、分割片（４１）（４１）は、台車（１０）によっても強固に連結され、分割片（４１）（４１）の連結強度をより一層向上させることができ、より安定状態に組み立てることができる。
【０１１５】
また回転板（４０）は、その中心を通る２等分線によって分割された２つの分割片（４１）（４１）によって構成するものであるため、２つの回転板分割片（４１）を同一の構成とすることができる。このように部品の共通化によって、生産効率の向上、組付作業性の向上およびコストの削減を図ることができる。
【０１１６】
さらに軸受（５０）においても、同一構成の２つの軸受分割片（５１）（５１）によって構成するものであるため、上記と同様、部品の共通化により、生産効率の向上などを図ることができる。
【０１１７】
また本実施形態においては、台車組付体の外周縁に沿って仕切ネット（１５ａ）（１５ｂ）を立設するものであるため、その仕切ネット（１５ａ）（１５ｂ）によって、台車（１０）上に収納される物品が台車外側に転落するのを防止することができ、良好な使い勝手を得ることができる。さらに仕切ネット（１５ａ）（１５ｂ）を、台車（１０）を回転走行させる際の操作ハンドルとして利用することもでき、別途、操作ハンドルを組み付ける必要はなく、部品点数の削減、構造の簡素化およびコストの削減を図ることができる。なお仕切ネット（１５ａ）（１５ｂ）をハンドルとして利用する場合には、床上から開口部（５ａ）を介して台車（１０）を走行させるものであるため、操作性を考慮すると、仕切ネット（１５ａ）（１５ｂ）のうち、前後側仕切ネット（１５ｂ）を手で掴んで走行させるのが良い。
【０１１８】
さらに本実施形態においては、隣り合う台車間の隙間（Ｓ）をポケット部材（６０）により閉塞するものであるため、台車（１０）に対し出し入れしようとした物品が、不本意にも台車間の隙間（Ｓ）からこぼれ落ちてしまうのを防止することができ、物品の出し入れを気遣いなく簡単に行うことができる。特に台車間の隙間（Ｓ）は、図４に示すように台車（１０）の走行位置によっては、開口部（５ａ）に対応して配置される場合があるが、本実施形態のように台車間の隙間（Ｓ）にポケット部材（６０）を設けることによって、台車（１０）の走行位置にかかわらず、開口部（５ａ）に常に物品収納可能部分が配置されることになり、物品の脱落をより確実に防止することができる。
【０１１９】
しかも台車間の隙間（Ｓ）、つまりデッドスペース（Ｓ）にポケット部材（６０）を設けて、このデッドスペースにも物品を収納できるよう構成しているため、収納効率の向上および収納量の増大を図ることができる。
【０１２０】
また本実施形態においては、台車（１０）を本発明特有の変形六角形状に形成するものであるため、４台の台車（１０）を回転板（４０）の周囲に配置した際に、台車（１０）をスペース的に効率良く配置することができ、床下スペースの有効利用を図りつつ、十分な収納効率を確保することができる。
【０１２１】
また本実施形態においては、隣り合う台車間は連結されていないため、例えば土台（１ａ）に不陸があって設置面（１）に多少凹凸があるような場合であっても、各台車（１０）が独立して走行することにより、凹凸走行時の隣りの台車（１０）への悪影響を回避することができる。このように各台車毎に凹凸を吸収しながら走行させることができ、この点においても、台車（１０）を安定させて走行させることができ、より一層操作性を向上させることができる。
【０１２２】
もっとも本発明においては、隣り合う台車間を連結するようにしても良い。さらに回転板（４０）の周囲に配置した４台の台車（１０）の各間を連結することにより、各台車（１０）を回転板（４０）に直接的に固定せずに、間接的に固定するようにしても良い。
【０１２３】
なお上記実施形態において、回転板（４０）を構成する分割片（４１）は、鋼板（４１ａ）の下面に木質板（４１ｂ）が積層されて形成されているが、本発明はそれだけに限られず、例えば図１１に示すように、鋼板（４１ａ）のみで分割片（４１）を形成するようにしても良い。この場合、分割片（４１）の対向辺部の両側に下方折曲部を形成し、その折曲部（４１ｃ）（４１ｃ）を分割片同士の接合部として構成するのが好ましい。さらに回転板（４０）は、いわゆる板形状のものに限られず、枠状（フレーム形状）のものであっても良い。
【０１２４】
また本発明においては、図１２に示すようなポケット部材（６０）を用いることができる。このポケット部材（６０）は、背面カバー（６１）の上端部に複数の背面上部取付代（６１ａ）が設けられ、底面カバー（６３）の基端部に側面下部取付代（６２ａ）（６２ａ）が設けられている。さらに底面カバー（６３）の周縁部には複数の底面取付代（６３ａ）が設けられている。この構成のポケット部材（６０）は、両側面カバー（６２）（６２）および底面カバー（６３）を前方に折り曲げた状態で、側面下部取付代（６２ａ）（６２ａ）を折り曲げて両側面カバー（６２）（６２）の下部に連結具などを介して固定することにより所定の三次元形状に保持される。そしてこの形状に保持されたポケット部材（６０）が上記と同様に仕切ネット（１５ｂ）に取り付けられる。すなわち図８および図９と同様に補強枠（６５）を取り付けて、その補強枠を抱え込むように背面上部取付代（６１ａ）を折り返して背面カバー（６１）の上端部にそれぞれ連結具を介して固定する。さらに底面カバー（６３）の底面取付代（６３ａ）を、仕切ネット（１５ｂ）を構成する所定のワイヤーを抱え込むように折り返して、底面カバー（６３）の周縁部に連結具を介して固定する。これにより上記と同様に隣り合う台車間の隙間（Ｓ）を閉塞するように、ポケット部材（１６）が取り付けられて、このポケット部材（１６）と前後の仕切ネット（１５ｂ）（１５ｂ）とにより、上方のみが開放された物品収納部（物品収納ポケット）が形成される。
【０１２５】
また本発明においては、仕切ネット（１５ａ）（１５ｂ）に、その網目から物品がこぼれ落ちるのを防止するために、その網目を閉塞するように樹脂製のシート状ないし板状の目隠し部材をネット片面に沿って取り付けるようにしても良い。なお言うまでもなくこの目隠し部材は透明であっても良い。
【０１２６】
一方、本発明の床下収納装置は、台車（１０）を４台用いる４連タイプ以外にも、必要に応じて図１３〜１６に示すように６連タイプや８連タイプなど、他の形状に組み替えることも可能である。
【０１２７】
例えば図１３および図１４に示すように６連タイプに組み立てる場合には、隣り合う２本の床支持脚（２）（２）にそれぞれ回転板（４０）（４０）を、上記と同様に回転自在に取り付ける。さらに２枚の回転板（４０）（４０）を内側に位置させるように、６台の台車（１０）を長円ないし長方形の環状に並べて配置し、その状態で、隣り合う台車間を連結リンク（１６）を介して揺動自在に連結するものである。
【０１２８】
ここで台車（１０）を６台以上連結する場合には、台車裏面側に、棒状の固定リンク（１７）を前後方向にそれぞれ固定しておき、各固定リンク（１７）の端部同士を連結リンク（１６）を介して連結する。すなわち、連結リンク（１６）の前端が、先行の台車（１０）における固定リンク（１７）の後端に垂直軸回り（水平面内）に回転自在に連結されるとともに、連結リンク（１６）の後端が、後続の台車（１０）における固定リンク（１７）の前端に垂直軸回りに回転自在に連結される。こうして６台の台車（１０）が、隣り合う２本の床支持脚（２）（２）を内側にして環状に連結される。
【０１２９】
なお連結リンク（１６）は、例えば鋼製の棒材からなり、その長さ寸法は、床支持脚スパンに対し半分に設定されている。さらに連結リンク（１６）は、固定リンク（１７）の連結リンク取付位置間の距離と等しく設定されて、連結リンク（１６）および固定リンク（１７）の連結位置が、連結される６台の台車（１０）に沿って等間隔おきに配置されている。
【０１３０】
この構成においては、隣り合う台車（１０）間が揺動自在に構成される。すなわち、先行の台車（１０）が後続の台車（１０）に対し直列に配置される直列状態と、直角に配置される直角状態との間で揺動自在に構成されている。このとき直列状態においては、先行の台車（１０）の後側辺（２３）が後続の台車（１０）の前側辺（２３）に当接されるとともに、直角状態においては、先行の台車（１０）の後斜辺（２５）が後続の台車（１０）の前斜辺（２５）に当接される。
【０１３１】
なお図１３および図１４において、符号（２５ａ）（２５ｂ）は台車裏面側に設けられた揺動規制片である。この揺動規制片（２５ａ）（２５ｂ）は、連結リンク（１６）が係止することにより、連結リンク（１６）の台車（１０）に対する回転許容範囲が４５°の範囲内に制限されている。これにより、隣り合う台車間の揺動許容範囲が、直列状態と直角状態との間の９０°に制限されている。
【０１３２】
またこの６連タイプにおいて、各台車（１０）は回転板（４０）に対し固定されておらず、図１３の初期状態では、片側３台の台車（１０）が、一方の回転板（４０）の回りに配置されて、その３台の台車（１０）の内側辺（２１）が、一方の回転板（４０）の周囲三辺に当接されている。さらに残り３台の台車（１０）が、他方の回転板（４０）の回りに配置されて、その３台の台車（１０）の内側辺（２１）が、他方の回転板（４０）の周囲三辺に当接されている。さらにこの状態において、回転板（４０）の外周部分では、隣り合う台車（１０）が直角状態に配置されるとともに、２枚の回転板（４０）（４０）間の部分では、隣り合う台車（１０）が直列状態に配置されている。
【０１３３】
また仕上げ床（５）には、上記と同様に、いずれか一つの台車（１０）に対応する位置に開口部（５ａ）が形成されている。
【０１３４】
この６連タイプの床下収納装置において、図１３の初期状態から台車（１０）を手動操作によって移動させると、各台車（１０）が環状経路に沿って循環走行される。このとき各台車（１０）が、２枚の回転板（４０）（４０）間の部分から、例えば一方の回転板（４０）の外周部分へと移動する際には、各台車（１０）がその後続の台車（１０）に対し内側に順次揺動することにより、直列状態から直角状態に順次移行しつつ、各台車（１０）の内側辺（２１）が一方の回転板（４０）の一側辺に順次当接していく。こうして隣り合う台車（１０）（１０）が直角状態で一方の回転板（４０）の回りを回転するとともに、この台車（１０）の軸回り走行に追従して回転板（４０）が床支持脚（２）を支点に回転する。また各台車（１０）が、一方の回転板（４０）の外周部分から、２枚の回転板（４０）（４０）の間の部分に移行する際には、各台車（１０）がその後続の台車（１０）に対し外側に順次揺動することにより、直角状態から直列状態に順次移行する。こうして、２枚の回転板（４０）（４０）の間の部分では、隣り合う台車（１０）が直列状態で走行する。
【０１３５】
この床下収納装置を使用する場合には、上記と同様に、台車（１０）を循環させて所望の台車（１０）を仕上げ床（５）の開口部（５ａ）に対応する位置に配置する。そして、その開口部（５ａ）を介して所望の台車（１０）に対し物品を出し入れするものである。
【０１３６】
このように本発明においては、４連タイプのように台車（１０）を４台連結したり、６連タイプのように６台連結して組み立てることができる。さらに台車（１０）、連結リンク（１６）および固定リンク（１７）などを適宜追加するだけで、４連タイプおよび６連タイプ間の変更も簡単に行うことができる。
【０１３７】
一方、本発明において、上記以外の連結タイプとしては、例えば図１５に示す長８連タイプや、図１６に示す正８連タイプなどを例示することができる。
【０１３８】
図１５に示す長８連タイプでは、並んで配置される３本の床支持脚（２）の外周を循環するように台車（１０）が連結されるものである。すなわち３本の床支持脚（２）のうち、両端に配置される２本の床支持脚（２）に回転板（４０）がそれぞれ取り付けられるとともに、その２枚の回転板（４０）の外側に掛け渡すように、８台の台車（１０）を長円環状に配置した状態で隣り合う台車（１０）間が連結リンク（１６）を介して連結されるものである。
【０１３９】
また図１６に示す正８連タイプでは、縦横に並んで配置される４本の床支持脚（２）に回転板（４０）がそれぞれ取り付けられるとともに、その４枚の回転板（４０）の外側に掛け渡すように、８台の台車（１０）が四角環状に配置された状態で隣り合う台車（１０）間が連結リンク（１６）を介してそれぞれ連結されるものである。
【０１４０】
以上のように、本発明の床下収納装置においては、台車（１０）の連結数を任意に設定できて、物品収納容量を自在に設定できるため、使用者の要望等、需要に応じて、最適な収納容量を確保することができる。さらに台車（１０）の連結形状（走行路形状）も任意に設定できるため、床下空間に合わせて、適切な走行路形状を形成することができ、床下空間内に無駄なスペースが形成されず、スペースの有効利用を図ることができる。
【０１４１】
また施工後においても、台車（１０）や回転板（４０）などの構成部品を追加したり、取り除いたりするだけで簡単に、台車（１０）の連結数を変更できて、物品収納容量を増減させることができるため、施工後における収納容量の変更にも確実に対処でき、商品価値を格段に向上させることができる。
【０１４２】
特に本発明においては、連結リンク（１６）の長さを、床支持脚（２）のスパンに対し１／２に設定した上で、台車（１０）の前後寸法（進行方向長さ）を、床支持脚（２）のスパンに一致させているため、床支持脚スパンと台車サイズとの寸法関係に制約されることなく、台車（１０）の連結数や連結形状を設定することができ、台車（１０）のサイズを十分大きく確保でき、施工に関して柔軟性が増し、商品価値をより一層向上させることができる。
【０１４３】
なお本発明においては、回転板（４０）を回転させるための操作ハンドルを設け、その操作ハンドルの回転操作によって、台車（１０）を循環させるように構成しても良い。すなわちハンドル操作によって回転板（４０）を回転駆動させて、回転板（４０）の外側辺に接触係合された台車（１０）を順次送り出すことにより、台車（１０）を所定の環状経路に沿って循環走行させるように構成するものである。さらに回転板（４０）の回転駆動を、電動モータなどを用いて自動的に回転させるようにしても良い。
【０１４４】
ここで参考までに、本実施形態の床下構造に関する細部の構成について説明する。まず床下設置面（１）は、ベタ基礎またはコンクリート、モルタル仕上げ等により、台車（１０）が走行し得るように平坦に形成されたものを好適に採用することができる。また床下設置面（１）の下地が、凹凸を有するものや土の場合には、コンクリートやモルタルにより平坦に仕上げたり、敷き板を敷いて平坦面に仕上げて、床下設置面（１）として構成するのが良い。なお敷き板は、２枚以上に分割されていても良く、その場合には隣り合う敷き板間を相じゃくり接合等により接合しておくのが良い。
【０１４５】
床支持脚（２）は、その材質が特に限定されるものではなく、金属製、プラスチック製、木質製のもの等、いずれのものでも使用することができる。
【０１４６】
台車（１０）の台板（２０）は、その材質が特に限定されるものではなく、例えば木質製や合成樹脂製のもの等を好適に用いることができる。
【０１４７】
台車（１０）の裏面に取り付けられるキャスター（１９）の数は、走行時の安定性や取付手間を考慮すると、３〜６個に設定するのが良く、より好ましくは上記実施形態のように４個程度に設定するのが良い。キャスター（１９）の取付位置は、走行時の安定性を考慮すると、前後対称位置に取り付けるのが良い。さらにキャスター（１９）は、旋回した際に、平面視において台板（２０）の外周からはみ出さない位置に取り付けて、隣り合う台車間において、キャスター同士が干渉しないように調整するのが良い。
【０１４８】
キャスター（１９）の材質は、車輪部がナイロン、ウレタン等の合成樹脂製のもので、取付部が金属製のものが一般に用いられる。さらにキャスター（１９）としては、旋回や回転をスムーズに行えるように、車輪部および取付部間の軸支持部、車軸および車輪間の軸支持部にボールベアリング等のベアリングが介装されたものを用いるのが良い。
【０１４９】
キャスター（１９）における車輪の大きさは、特に限定されるものではないが、直径が３０〜１００ｍｍ、より好ましくは５０〜７５ｍｍのものを用いるのが良い。すなわち車輪径が大き過ぎる場合には、台板の高さが高くなり、その分、収納スペースが小さくなり、逆に車輪径が小さ過ぎる場合には、特に高重量の物品を搭載した状態での走行安定性が低下して、台車（１０）をスムーズに走行させることが困難になる恐れがある。
【０１５０】
また、必要に応じて台車（１０）に、物品収納箱を載置するようにしても良い。言うまでもなくこの収納箱は、形状、材質等が特に限定されるものではない。例えば木質製、樹脂製、紙製、金属製、これらの複合材からなるものや、立方体形状、直方体形状、多角柱形状、円柱形状、楕円柱形状、これらの複合形状のもの等を好適に用いることができる。
【０１５１】
物品収納箱の大きさも特に限定されるものではないが、台車（１０）上からはみ出さない程度のものを用いるのが良い。
【０１５２】
物品収納箱は、台車（１０）に単に載置するだけでも良いが、台車（１０）にビス、釘、接着剤、両面テープ等により固定するようにしても良い。さらに台車（１０）に載置する場合には、載置部外周の所要箇所に凸部を形成したり、載置部全域を凹部に形成して、位置決めできるよう構成しても良い。
【０１５３】
また上記実施形態においては、台車が４〜８台連結される場合を例に挙げて説明したが、本発明においては、台車の連結数は特に限定されるものではない。
【０１５４】
さらに台車の形状も、特に限定されるものではなく、例えば、三角形や四角形等の多角形状はもちろん、円形、楕円形、長円形等の形状に形成しても良い。
【０１５５】
＜第２実施形態＞
図１７〜１９はこの発明の第２実施形態である床下収納装置を示す図である。これらの図に示すように、この第２実施形態においては、仕上げ床（５）における開口部（５ａ）の内周縁部に、プロテクターなどの緩衝部材（７０）が設けられている点が、上記第１実施形態のものと大きく相違する。
【０１５６】
すなわち本実施形態において、床壁としての仕上げ床（５）における開口部（５ａ）の内周縁部には、縁枠部材（６）が設けられ、この縁枠部材（６）に蓋板（図示省略）が取外可能に設置されるよう構成されている。
【０１５７】
また仕上げ床（５）における開口部（５ａ）の周縁下面には、木質製補強桟（８）が取り付けられている。なお本発明において補強桟（８）は、木質製のものに限られることはない。
【０１５８】
仕上げ床（５）における開口部（５ａ）の内周側面には、上記縁枠部材（６）の下側に、断面逆Ｌ字状のアングル部材（７）が取り付けられている。このアングル部材（７）は、その水平片が縁枠部材（６）の下面に沿うように配置された状態で、垂直片が補強桟（８）にビス止めによって固定されている。
【０１５９】
ここで縁枠部材（６）は通常、横止め方式および下止め方式のいずれかが採用される。横止め方式を採用する場合には、縁枠部材（６）が開口部（５ａ）の木口に、ビス止めなどによって固定される。下止め方式を採用する場合には、縁枠部材（６）がアングル部材（７）にビス止めなどによって固定される。
【０１６０】
なお本実施形態においては、補強桟（８）の下面によって、開口部（５ａ）の内周下面が構成されるとともに、アングル部材（７）の垂直片における内面側（内側面）によって、開口部（５ａ）の内周側面が構成されている。
【０１６１】
開口縁部に設けられる緩衝部材（７０）は、図２０（ａ）（ｂ）に示すように、柔軟性を有し、ポリプロピレン樹脂などの合成樹脂からなる帯板状の成形板をもって構成されている。この緩衝部材（７０）は、その上下両側縁部が互いに相反する方向に折曲成形されて、取付片（７１）（７２）として構成されている。
【０１６２】
この構成の緩衝部材（７０）が、同図（ｃ）に示すように湾曲されて、仕上げ床（５）の開口部（５ａ）に取り付けられる。
【０１６３】
すなわち図１８に示すように帯板状の緩衝部材（７０）の上側取付片（７１）が、仕上げ床（５）の開口部（５ａ）における縁枠部材（６）とアングル部材（７）との間に挟み込まれた状態で、ビス（６１）が縁枠部材（６）、緩衝部材（７０）の上側取付片（７１）、およびアングル部材（７）に貫通されるように締結固定されることにより、緩衝部材（７０）の上側縁部が開口部（５ａ）の内周側面に固定される。さらに緩衝部材（７０）の下側部が外側に湾曲（折曲）されて、下側取付片（７２）が上記補強桟（８）の下面側にビス（６２）が締結固定されることにより、緩衝部材（７０）の下側縁部が開口部（５ａ）の内周下面に固定される。
【０１６４】
なお本実施形態において、緩衝部材（７０）の素材は特に限定されるものではないが、好適には、作業者が手作業で簡単に曲げ加工できる程度の柔軟性を有する素材や、厚さのものを使用するのが良い。また緩衝部材（７０）として、ある程度硬い素材が用いられている場合であっても、温水や熱風などを利用して、曲げ加工できるものであれば、緩衝部材用の素材として用いることができる。
【０１６５】
また言うまでもなく、緩衝部材（７０）の曲げ加工は、現場で行っても良いし、予め工場側で行っておいても良い。
【０１６６】
一方、本第２実施形態においては、台車（１０）の外周縁部に沿って取り付けられた仕切ネット（１５ａ）（１５ｂ）が簡単に、取り外すことができるようになっている。
【０１６７】
すなわち図１９および図２１に示すように、外側仕切ネット（１５ａ）の前後両端部と、前後仕切ネット（１５ｂ）との間を連結する連結部材（８０）は、連結部材本体（８１）と、閉塞板（８５）とを備えている。連結部材本体（８１）は、その両側部にネット（１５ａ）（１５ｂ）の側枠を収容し得るネット枠設置溝（８２）（８２）が設けられている。そして、一方側のネット枠設置溝（８２）に、例えば外側仕切ネット（１５ａ）の側枠を収容するとともに、他方側のネット枠設置溝（８２）に前後仕切ネット（１５ｂ）の側枠を収容して、連結部材本体（８１）にその溝開放部を閉じるように閉塞板（８５）を設置し、その状態でビス（８６）を連結部材本体（８１）の中間部に貫通させて閉塞板（８５）の中間部に締結固定することにより、連結部材（８０）を介して両ネット（１５ａ）（１５ｂ）が連結されるよう構成されている。
【０１６８】
またビス（８６）を取り外して、連結部材本体（８１）と閉塞板（８５）とを分離させると、ネット（１５ａ）（１５ｂ）を連結部材本体（８１）の溝（８２）（８２）から取り出すことができ、両ネット（１５ａ）（１５ｂ）の連結を解除できるよう構成されている。
【０１６９】
このようにビス（８６）の着脱によって、両ネット（１５ａ）（１５ｂ）の連結および解除を簡単に行えるよう構成されている。
【０１７０】
また図１７および図２２に示すように、各台車（１０）における外周縁部上には、具体的には外側辺（２２）および前後両側辺（２３）（２３）上には、複数のネット嵌着部材（９０）が固定されている。この嵌着部材（９０）は、略上向きコ字状の形状を有する弾性部材によって構成されている。この嵌着部材（９０）のコ字溝（９１）は、奥部の幅寸法が仕切ネット（１５ａ）（１５ｂ）の下枠直径と同程度に設定されるとともに、開口縁部の幅寸法は仕切ネット（１５ａ）（１５ｂ）の下枠直径より狭幅に形成されている。そしてこのコ字溝（９１）に仕切ネット（１５ａ）（１５ｂ）の下枠を比較的強い力で押し込んだ際には、コ字溝（９１）の開口縁部が押し開かれて、ネット（１５ａ）（１５ｂ）がコ字溝（９１）の奥部まで挿入され、その後、嵌着部材自身の弾性力によってコ字溝（９１）の開口縁部が閉じられて、ネット（１５ａ）（１５ｂ）がコ字溝（９１）内に保持される。またこの状態から、ネット（１５ａ）（１５ｂ）を嵌着部材（９０）に対し比較的強い力で引っ張った際には、コ字溝（９１）の開口縁部が押し開かれて、ネット（１５ａ）（１５ｂ）がコ字溝（９１）から抜け出し、その後、コ字溝（９１）が嵌着部材自身の弾性力によってコ字溝（９１）の開口縁部が閉じられて元の状態に戻る。このようにネット（１５ａ）（１５ｂ）を嵌着部材（９０）に対し嵌脱操作するだけで簡単に、ネット（１５ａ）（１５ｂ）を台車（１０）に対し着脱できるよう構成されている。
【０１７１】
本第２実施形態において、その他の構成は、上記第１実施形態と実質的に同様であるため、同一または相当部分に同一または相当符号を付して重複説明は省略する。
【０１７２】
この第２実施形態の床下収納装置によれば、上記第１実施形態と同様に同様の作用効果を得ることができる。
【０１７３】
その上さらに本実施形態においては、仕上げ床（５）における収納物出し入れ用開口部（５ａ）の内周縁部に緩衝部材（７０）を取り付けているため、台車（１０）に対し収納物を出し入れする際に、手や腕が緩衝部材（７０）に接触することにより、手や腕が床構成材に直接接触するような不具合を防止でき、収納物の出し入れ作業を支障なくスムーズに行うことができる。さらに開口部（５ａ）を床下点検時の点検口として利用する場合であっても、上記と同様に作業の身体の一部が、開口部周縁の床構成材に直接接触するような不具合を確実に防止することができる。
【０１７４】
特に本実施形態においては、緩衝部材（７０）として樹脂製成形板を湾曲状に曲成したものを使用しているため、作業者の腕や手などの身体の一部が緩衝部材（７０）に接触しても湾曲面に沿って抵抗なくガイドされることにより、腕などが引っ掛かるようなこともなく、収納物の出し入れ作業をよりスムーズに行うことができる。
【０１７５】
ここで本実施形態においては緩衝部材（７０）を開口部（５ａ）の周囲四辺の全てに設ける場合を例に挙げて説明しているが、それだけに限られず、本発明においては、緩衝部材を、周囲四辺のうち、一辺であっても、隣合う二辺であっても、対向する二辺であっても、三辺であっても良く、要は少なくとも一辺に設けられていれば良い。もっとも、本発明においては、開口部（５ａ）の周囲四辺のうち、台車（１０）の回転方向に対し直交する方向の辺部に緩衝部材（７０）を設置するのが好ましい。すなわち台車（１０）を手で回転操作する場合には、回転方向に沿って腕や手を動作させるものであるため、開口部（５ａ）の周囲四辺のうち、回転方向に対し直交する方向の辺部に手や腕が接触することが多くなる。従ってその回転方向に直交する辺部に緩衝部材（７０）を設置しておくことにより、腕などの床構成材への直接干渉を有効に防止でき、収納物の出し入れ作業をより一層スムーズに行うことができる。
【０１７６】
また本実施形態のように、緩衝部材（７０）の上側取付片（７１）を縁枠部材（６）とアングル部材（７）とで挟み込んでビス（６１）により固定する場合には、縁枠部材（６）を上記の下止め方式により固定するのが良い。すなわち、縁枠部材（６）を下止め方式で固定する場合には、縁枠部材（６）をアングル部材（７）に固定するためのビス（６１）と、緩衝部材（７０）を挟持するためのビス（６１）とを兼用することができ、部品点数の削減および構造の簡素化を図ることができ、ひいてはコストの削減を図ることができる。
【０１７７】
さらに本実施形態においては、緩衝部材（７０）を施工現場で必要に応じて切断したり、曲げ加工することができるため、取付箇所の形状などに合わせて正確に整形できて、精度良く簡単に取り付けることができ、より一層コストを削減することができる。
【０１７８】
また本実施形態においては、台車上の仕切ネット（１５ａ）（１５ｂ）を簡単に取り外すことができるため、開口部（５ａ）を利用して、床下の保守点検作業をより確実に行うことができる。すなわち床下の保守点検作業を行う際に、作業者が開口部（５ａ）から床下に侵入しようとすると、台車上の仕切ネット（１５ａ）（１５ｂ）が邪魔になって床下に侵入できない恐れがある。そこで本実施形態においては、床下作業を行う際には、台車上のいずれか１枚のネット、例えば１枚の外側仕切ネット（１５ａ）を取り外す。例えば取り外す予定の外側仕切ネット（１５ａ）とその両側に配置される前後仕切ネット（１５ｂ）（１５ｂ）との間を連結している連結部材（８０）をビス（８６）を取り外して分解することにより、ネット間の連結を解除する。その後、取り外す予定の外側仕切ネット（１５ａ）を上方に強い力で引っ張ることにより、当該ネット（１５ａ）を、台車（１０）上の嵌着部材（９０）から抜き取って取り外すものである。
【０１７９】
こうして床下収納装置の１枚の外側仕切ネット（１５ａ）を取り外すことにより、開口部（５ａ）から床下空間への侵入経路を確保することができ、収納物出し入れ用開口部（５ａ）を床下の保守点検作業時などの点検口として有効に利用できる。従って収納物出し入れ用の開口部とは別に、仕上げ床（５）に点検口を設ける必要がなく、その分、床材施工作業を容易に行えるとともに、美観も向上させることができる。
【０１８０】
一方、床下作業終了後においては、取り外した外側仕切ネット（１５ａ）を、その下枠を嵌着部材（９０）に嵌め込むとともに、両側枠を両側の前後仕切ネット（１５ｂ）（１５ｂ）の側枠に連結部材（８０）を介して連結することにより、台車（１０）に取り付ける。これにより床下収納装置として不具合なく使用することができる。
【０１８１】
なお上記第２実施形態においては、仕切ネット（１５ａ）（１５ｂ）を、全て着脱できるように構成しても良いが、必要最小限（１，２枚程度）の仕切ネットを取り外せるようにして、残りの仕切ネットは台車上にビス止めなどによって固定しておくのが好ましい。すなわちこの構成を採用する場合には、ほとんどの仕切ネットが台車に固定されているため、仕切ネットを手で持って台車を回転させる際に、仕切ネットが不用意に脱外してしまうのを有効に防止することができ、台車の回転操作性を向上させることができる。
【０１８２】
図２３はこの発明の第４変形例である床下収納装置における仕上げ床開口部周辺を拡大して示す断面図である。同図に示すように、この変形例の床下収納装置においては、開口部（５ａ）の内周面におけるアングル部材（７）の垂直片に、帯板状の緩衝部材（１７０）が設けられている。
【０１８３】
この緩衝部材（１７０）は、合成樹脂の発泡成形体、合成ゴムの発泡成形体などからなる柔軟性ないし弾力性を有する部材をもって構成され、たとえばアングル部材（７）の垂直片に両面テープによって取着されている。
【０１８４】
その他の構成は、上記第２実施形態と実質的に同様であるため、同一または相当部分に同一または相当符号付して、重複説明は省略する。
【０１８５】
この床下収納装置においても、上記と同様に同様の作用効果を得ることができる上さらに、緩衝部材（１７０）をテープによって簡単に取り付けることができ、施工作業をより一層簡単に行うことができる。
【０１８６】
特に本実施形態においては、緩衝部材（１７０）として、クッション性に優れた合成樹脂ないし合成ゴムの発泡成形体を用いているため、手や腕が接触した際に柔軟な肌触りが得られるので、収納物の出し入れ作業や、床下点検時の開口部くぐり抜け作業をよりスムーズかつ快適に行うことができる。
【０１８７】
図２４はこの発明の第５変形例である床下収容装置における仕上げ床開口部周辺を拡大して示す断面図である。同図に示すように、この変形例の床下収納装置においては、上記第４変形例と同様に、開口部（５ａ）の内周面におけるアングル部材（７）の垂直片に、帯板状の緩衝部材（１７０）が設けられるとともに、補強桟（８）の下面側にも、緩衝部材（１７０）と同様な帯板状緩衝部材（１７１）が同様に設けられている。その他の構成は、上記第４変形例と同様である。
【０１８８】
この床下収納装置においても、上記と同様に同様の作用効果を得ることができる上さらに、開口部（５ａ）の周縁における下面側にも緩衝部材（１７１）を取着しているため、その部分でも上記の緩衝効果が得られることにより、収納物の出し入れ作業や、床下点検時の開口部くぐりぬけ作業をより一層スムーズに行うことができる。
【０１８９】
また本発明においては、例えば開口部（５ａ）を閉塞するための蓋板（図示省略）の裏面側に、補強桟を設けることにより、蓋板に十分な強度を持たせることができるので、好ましい。この補強桟としては、材質が特に限定されるものではなく、例えば木質製のもの、金属製のもの、合成樹脂製のものを好適に採用することができる。
【０１９０】
さらに本発明においては、開口部（５ａ）を閉塞するための蓋板における裏面側の四隅などに、弾性ないし柔軟性を有するゴム製などのクッション材を取り付けておくのが好ましい。すなわちこの構成を採用する場合には、蓋板を取り外して、床上に載置するような場合に、クッション材によって、床に傷が付くのを有効に防止することができる。
【０１９１】
なお本発明においては、第１実施形態の欄で記載した変形例などは、不具合のない限り、第２実施形態にも適用可能であり、逆に第２実施形態の欄で記載した変形例などは、不具合のない限り、第１実施形態に適用可能である。
【産業上の利用可能性】
【０１９２】
この発明の床下収納装置は、戸建て住宅などの床下収納設備として利用することができる。
【図面の簡単な説明】
【０１９３】
【図１】この発明の第１実施形態である床下収納装置を示す斜視図である。
【図２】上記床下収納装置を示す側面断面図である。
【図３】上記床下収納装置における初期状態の平面図である。
【図４】上記床下収納装置における走行途中の初期状態の平面図である。
【図５】上記床下収納装置の台車部分を拡大して示す平面図である。
【図６】上記床下収納装置の回転板周辺を分解して示す斜視図である。
【図７】上記床下収納装置の回転板周辺を拡大して示す側面断面図である。
【図８】上記床下収納装置のポケット部材周辺を拡大して示す斜視図である。
【図９】図８の分解斜視図である。
【図１０】上記床下収納装置のポケット部材を展開状態で示す平面図である。
【図１１】この発明に適用可能な他の回転板を分解して示す斜視図である。
【図１２】この発明に適用可能な他のポケット部材を展開状態で示す平面図である。
【図１３】この発明の第１変形例である６連タイプの床下収納装置を初期状態で示す平面図である。
【図１４】第１変形例の６連タイプの床下収納装置を走行途中の状態で示す平面図である。
【図１５】この発明の第２変形例である長８連タイプの床下収納装置を示す平面図である。
【図１６】この発明の第３変形例である正８連タイプの床下収納装置を示す平面図である。
【図１７】この発明の第２実施形態である床下収納装置を示す側面断面図である。
【図１８】第２実施形態の床下収納装置における仕上げ床開口部周辺を拡大して示す側面断面図である。
【図１９】第２実施形態の床下収納装置を示す斜視図である。
【図２０】第２実施形態に適用された開口部用緩衝部材であって、同図（ａ）は組付前の状態での正面図、同図（ｂ）は組付前の状態での側面図、同図（ｃ）は組付後の状態での側面図である。
【図２１】第２実施形態に適用されたネット連結部材を分解して示す斜視図である。
【図２２】図１７の一点鎖線で囲まれる部分を拡大した断面図、第２実施形態の床下収納装置におけるネット下端取付部周辺を拡大して示す側面断面図であって、図１７の一点鎖線で囲まれる部分を拡大した断面図である。
【図２３】この発明の第４変形例である床下収納装置の仕上げ床開口部周辺を拡大して示す側面断面図である。
【図２４】この発明の第５変形例である床下収納装置の仕上げ床開口部周辺を拡大して示す側面断面図である。
【符号の説明】
【０１９４】
１…床下設置面
２…床支持脚
５…仕上げ床（床壁）
５ａ…開口部
１０…台車
１５ａ，１５ｂ…仕切ネット（囲い板）
２１…内側辺
２２…外側辺
２３…前側辺、後側辺
２５…前斜辺、後斜辺
３０…補強部材
４０…回転板
４１…回転板分割片
５０…軸受
６０…ポケット部材（物品こぼれ落ち防止部材）
７０，１７０，１７１…緩衝部材
【図１】
2006266065.tif 000003
【図２】
2006266065.tif 000004
【図３】
2006266065.tif 000005
【図４】
2006266065.tif 000006
【図５】
2006266065.tif 000007
【図６】
2006266065.tif 000008
【図７】
2006266065.tif 000009
【図８】
2006266065.tif 000010
【図９】
2006266065.tif 000011
【図１０】
2006266065.tif 000012
【図１１】
2006266065.tif 000013
【図１２】
2006266065.tif 000014
【図１３】
2006266065.tif 000015
【図１４】
2006266065.tif 000016
【図１５】
2006266065.tif 000017
【図１６】
2006266065.tif 000018
【図１７】
2006266065.tif 000019
【図１８】
2006266065.tif 000020
【図１９】
2006266065.tif 000021
【図２０】
2006266065.tif 000022
【図２１】
2006266065.tif 000023
【図２２】
2006266065.tif 000024
【図２３】
2006266065.tif 000025
【図２４】
2006266065.tif 000026